(57)【特許請求の範囲】
【請求項１】
天竺編みした編地で構成される衣服であって、
衣服を構成する各部位のうち、少なくとも、切断されることが予定される切断予定部位は、前記切断予定部位の丈方向と、前記切断予定部位を構成する前記編地のコース方向とが沿うように縫製された衣服。
【請求項２】
請求項１に記載の衣服において、
前記切断予定部位には、切断が予定されている切断予定位置が設定され、前記切断予定位置から見て、前記切断予定部位が他の前記部位と接続される接続側であって、前記切断予定部位の巾方向のいずれか一端側に、前記切断予定部位の編地のほつれを抑制する閂止めが掛けられている衣服。
【請求項３】
請求項２に記載の衣服において、
前記閂止めは、前記切断予定部位の編地とは異なる色の糸を用いて形成されている衣服。
【請求項４】
請求項１〜３のいずれか１項に記載の衣服において、
前記各部位は、三本針オーバーロックにより縫製されている衣服。
【発明の詳細な説明】
【技術分野】
【０００１】
本発明は、衣服に関する。
【背景技術】
【０００２】
インナーは、丈（たけ）方向と編地のウェール方向とが沿うように縫製されている。
【発明の概要】
【発明が解決しようとする課題】
【０００３】
しかし、このように縫製されていると、例えば袖丈を調整するために袖巾（はば）方向に沿って切断した場合、編地を構成する糸がほつれて、その縫製された製品が破損してしまうという問題があった。
【０００４】
本発明では、衣服を構成する部位を、丈を調整するために巾方向に沿って切断しても、製品が破損することを抑制可能な衣服を提供する。
【課題を解決するための手段】
【０００５】
請求項１に記載の発明に係る衣服は、天竺編みした編地で構成される衣服であって、衣服を構成する各部位のうち、少なくとも、切断されることが予定される切断予定部位は、前記切断予定部位の丈方向と、前記切断予定部位を構成する前記編地のコース方向とが沿うように縫製されている。
【０００６】
このようにすると、巾方向がウェール方向に沿う。天竺編みした編地は、コース方向に沿って切断するとほつれるが、ウェール方向に沿って切断するとほつれない。そのため、この衣服は、丈の調整をするため切断予定部位を巾方向に沿って切断しても編地がほつれない。
【０００７】
したがって、請求項１に記載の発明に係る衣服は、切断予定部位を、丈を調整するために巾方向に沿って切断しても、製品が破損することを抑制できる。
次に、切断予定部位には、切断が予定されている切断予定位置が設定され、切断予定位置から見て、切断予定部位が他の部位と接続される接続側であって、切断予定部位の巾方向のいずれか一端側に、切断予定部位の編地のほつれを抑制する閂止めが掛けられている。
【０００８】
このようにすると、切断予定部位をウェール方向に沿って切断しても、閂止めによってほつれがより確実に抑制される。
次に、閂止めは、切断予定部位の編地とは異なる色の糸を用いて形成してもよい。このようにすれば、切断予定位置が明確になる。
【０００９】
次に、各部位は、三本針オーバーロックにより縫製してもよい。
【図面の簡単な説明】
【００１０】
【図１】図１（ａ）は、第１実施形態のシャツタイプのインナーの正面図である。図１（ｂ）は、第１実施形態のシャツタイプのインナーの右袖部分を抜き出した正面図である。
【図２】図２（ａ）は、第２実施形態のズボンタイプのインナーの正面図である。図２（ｂ）は、第２実施形態のズボンタイプのインナーの右股下部分を抜き出した正面図である。
【発明を実施するための形態】
【００１１】
以下に本発明の例示的な実施形態について図面を参照しながら説明する。
（第１実施形態）
第１実施形態のインナー１は、図１（ａ）に示すように、シャツタイプのインナーである。
【００１２】
インナー１は、身頃１０、左袖１２、右袖１４の各部位で構成されている。このインナー１は、天竺編みした編地を型抜し、身頃１０については、この型抜きした編地を、脇線１０ａ、肩線１０ｂに相当する部分を三本針オーバーロックで縫製することによって形成する。また、左袖１２及び右袖１４も、袖下線１２ａ、１４ａを三本針オーバーロックで縫製することによって形成する。
【００１３】
身頃１０は着丈に沿った丈方向Ａ１と、身頃１０を構成する編地のコース方向ａ１とが沿うように構成されている。左袖１２及び右袖１４も、袖丈に沿った丈方向Ｂ１と、左袖１２及び右袖１４を構成する編地のコース方向ｂ１とが沿うように構成されている。
【００１４】
また、左袖１２及び右袖１４（本発明の切断予定部位に相当する）には、図１（ｂ）に示すように、切断が予定される切断予定位置α、βが設定されている。そして、左袖１２及び右袖１４には、これら切断予定位置α、βからみて、左袖１２及び右袖１４が身頃１０（本発明の他の部位に相当する）と接続される接続側であって、この接続側の巾方向Ｂ２のいずれか一端側に、左袖１２及び右袖１４の編地のほつれを抑制するための閂止め１３、１５が掛けられている。これら閂止め１３，１５は、左袖１２及び右袖１４を構成する編地とは、異なる色の糸で掛けられている。尚、切断予定位置は、２カ所設けられている。
【００１５】
以上説明したインナー１では、左袖１２及び右袖１４の袖の巾方向Ｂ２がウェール方向ｂ２に沿っている。天竺編みした編地は、コース方向ｂ１に沿って切断するとほつれるが、ウェール方向ｂ２に沿って切断するとほつれない。そのため、このインナー１は、左袖１２及び右袖１４の袖丈の調整をするため袖の巾方向Ｂ２に沿って切断しても編地がほつれない。
【００１６】
したがって、インナー１は、左袖１２及び右袖１４を、袖丈を調整するために袖の巾方向Ｂ２に沿って切断しても、製品が破損することを抑制できる。
また、インナー１では、左袖１２及び右袖１４を、袖の巾方向Ｂ２に沿って切断しても、閂止め１３，１５によってほつれがより確実に抑制される。また、閂止め１３，１５は、左袖１２及び右袖１４の編地とは異なる色の糸で掛けられているので、切断予定位置が明確になる。
（第２実施形態）
第１実施形態のインナー３は、図２（ａ）に示すように、ズボンタイプのインナーである。
【００１７】
インナー３は、股上３０、左股下３２、右股下３４の各部位を有する。このインナー３は、天竺編みした編地を型抜し、股上３０については、この型抜きした編地を、脇線３ａを三本針オーバーロックで縫製することにより形成する。また、左股下３２及び右股下３４も、脇線３ａと股下線３ｂを三本針オーバーロックで縫製することにより形成する。
【００１８】
股上３０は股上丈に沿った丈方向Ｃ１と、股上３０を構成する編地のコース方向ｃ１とが沿うように構成されている。左股下３２及び右股下３４も、股下丈に沿った丈方向Ｄ１と、左股下３２及び右股下３４を構成する編地のコース方向ｄ１とが沿うように構成されている。
【００１９】
また、左股下３２及び右股下３４（本発明の切断予定部位に相当する）には、図２（ｂ）に示すように、切断が予定されている切断予定位置γ、δが設定されている。そして、左股下３２及び右股下３４には、これら切断予定位置γ、δからみて、左股下３２及び右股下３４が股上３０（本発明の他の部位に相当する）と接続される接続側であって、この接続側の巾方向Ｄ２のいずれか一端側に、左股下３２及び右股下３４の編地のほつれを抑制するための閂止め３３、３５が掛けられている。これら閂止め３３、３５は、左股下３２及び右股下３４を構成する編地とは、異なる色の糸で掛けられている。尚、切断予定位置は、２カ所設けられている。
【００２０】
以上説明したインナー３では、左股下３２及び右股下３４の巾方向Ｄ２がウェール方向ｄ２に沿っている。天竺編みした編地は、コース方ｄ１向に沿って切断するとほつれるが、ウェール方向ｄ２に沿って切断するとほつれない。そのため、このインナー３は、左股下３２及び右股下３４の袖丈の調整をするため巾方向Ｄ２に沿って切断しても編地がほつれない。
【００２１】
したがって、インナー３は、左股下３２及び右股下３４を、袖丈を調整するために巾方向Ｄ２に沿って切断しても、製品の破損を抑制できる。
また、インナー３では、左股下３２及び右股下３４を、巾方向Ｄ２に沿って切断しても、閂止め３３、３５によってほつれがより確実に抑制される。また、閂止め３３、３５は、左股下３２及び右股下３４の編地とは異なる色の糸で掛けられているので、切断予定位置γ、δが明確になる。
［他の実施形態］
以上、実施形態について説明したが、特許請求の範囲に記載された発明は、上記実施形態に限定されることなく、種々の形態を採り得ることは言うまでもない。
【００２２】
（１）上記実施形態では、身頃１０や股上３０について切断する場合について説明していないが、身頃１０や股上３０も丈方向Ａ１、Ｃ１と編地のコース方向ａ１，ｃ１とが沿うように構成されているので、ウェール方向ａ２，ｃ２方向に沿って切ってもほつれが生じない。
【符号の説明】
【００２３】
１…インナー、３…インナー、３ａ…脇線、３ｂ…股下線、１０…身頃、１２…左袖、１３、１５…閂止め、１４…右袖、３０…股上、３２…左股下、３３、３５…閂止め、３４…右股下。
【図１】
0006262785.tif 000002
【図２】
0006262785.tif 000003